(57)【要約】【課題】強度や屈曲耐久性、帯電特性等に加えて、光沢度についても要求特性を十分に満足することができ、かつ、生産性を損なうなどの問題を有しない導電性エンドレスベルト、および、それを用いた画像形成装置を提供する。【解決手段】静電吸着により保持した記録媒体を、駆動部材により循環駆動されて、４種の画像形成体に搬送し、各トナー像を該記録媒体に順次転写するタンデム方式の転写、搬送用導電性エンドレスベルトである。樹脂成分として、第一のＡＢＳ樹脂と、第一のＡＢＳ樹脂よりもメルトフローレートが１０ｇ／１０ｍｉｎ以上大きい第二のＡＢＳ樹脂とを含み、これらの総量に対する第二のＡＢＳ樹脂の配合量が、３〜３０重量％の範囲内である。【選択図】なし【特許請求の範囲】
【請求項１】
静電吸着により保持した記録媒体を、駆動部材により循環駆動されて、４種の画像形成体に搬送し、各トナー像を該記録媒体に順次転写するタンデム方式の転写、搬送用導電性エンドレスベルトにおいて、
樹脂成分として、第一のアクリロニトリル−ブタジエン−スチレン樹脂と、該第一のアクリロニトリル−ブタジエン−スチレン樹脂よりもメルトフローレートが１０ｇ／１０ｍｉｎ以上大きい第二のアクリロニトリル−ブタジエン−スチレン樹脂とを含み、これらの総量に対する該第二のアクリロニトリル−ブタジエン−スチレン樹脂の配合量が、３〜３０重量％の範囲内であることを特徴とする導電性エンドレスベルト。
【請求項２】
画像形成体と記録媒体との間に配設され、駆動部材により循環駆動されて、前記画像形成体表面に形成されたトナー像を一旦自己の表面に転写保持し、これを記録媒体へと転写する中間転写部材用の導電性エンドレスベルトにおいて、
樹脂成分として、第一のアクリロニトリル−ブタジエン−スチレン樹脂と、該第一のアクリロニトリル−ブタジエン−スチレン樹脂よりもメルトフローレートが１０ｇ／１０ｍｉｎ以上大きい第二のアクリロニトリル−ブタジエン−スチレン樹脂とを含み、これらの総量に対する該第二のアクリロニトリル−ブタジエン−スチレン樹脂の配合量が、３〜３０重量％の範囲内であることを特徴とする導電性エンドレスベルト。
【請求項３】
４種の画像形成体と記録媒体との間に配設され、駆動部材により循環駆動されて、前記４種の画像形成体表面に形成されたトナー像を一旦自己の表面に順次転写保持し、これを記録媒体へと転写するタンデム中間転写部材用の導電性エンドレスベルトにおいて、
樹脂成分として、第一のアクリロニトリル−ブタジエン−スチレン樹脂と、該第一のアクリロニトリル−ブタジエン−スチレン樹脂よりもメルトフローレートが１０ｇ／１０ｍｉｎ以上大きい第二のアクリロニトリル−ブタジエン−スチレン樹脂とを含み、これらの総量に対する該第二のアクリロニトリル−ブタジエン−スチレン樹脂の配合量が、３〜３０重量％の範囲内であることを特徴とする導電性エンドレスベルト。
【請求項４】
前記第一のアクリロニトリル−ブタジエン−スチレン樹脂のメルトフローレートが３〜３０ｇ／１０ｍｉｎの範囲内である請求項１〜３のうちいずれか一項記載の導電性エンドレスベルト。
【請求項５】
請求項１〜４のうちいずれか一項記載の導電性エンドレスベルトを用いたことを特徴とする画像形成装置。
【発明の詳細な説明】
【技術分野】
【０００１】
本発明は、複写機、プリンター等の電子写真装置や静電記録装置等における静電記録プロセスにおいて、表面に静電潜像を保持した潜像保持体等の画像形成体表面に現像剤を供給して形成されたトナー像を、紙等の記録媒体へと転写する際に用いられる導電性エンドレスベルト（以下、単に「ベルト」とも称する）およびそれを用いた画像形成装置に関する。
【背景技術】
【０００２】
従来から、複写機、プリンター等における静電記録プロセスでは、まず、感光体（潜像保持体）の表面を一様に帯電させ、この感光体に光学系から映像を投射して光の当たった部分の帯電を消去することによって静電潜像を形成し、次いで、この静電潜像にトナーを供給してトナーの静電的付着によりトナー像を形成し、これを紙、ＯＨＰ、印画紙等の記録媒体へと転写することにより、プリントする方法が採られている。
【０００３】
この場合、カラープリンターやカラー複写機においても、基本的には前記プロセスに従ってプリントが行われるが、カラー印刷の場合には、マゼンタ、イエロー、シアン、ブラックの４色のトナーを用いて色調を再現するもので、これらのトナーを所定割合で重ね合わせて必要な色調を得るための工程が必要であり、この工程を行うためにいくつかの方式が提案されている。
【０００４】
まず、第１には、モノクロ印刷を行う場合と同様に、感光体上にトナーを供給して静電潜像を可視化する際に、前記マゼンタ、イエロー、シアン、ブラックの４色のトナーを順次重ねていくことにより現像を行い、感光体上にカラーのトナー像を形成する多重現像方式がある。この方式によれば比較的コンパクトに装置を構成することが可能であるが、この方式では階調の制御が非常に難しく、高画質が得られないという問題点がある。
【０００５】
第２に、４つの感光ドラムを設け、各ドラムの潜像を夫々マゼンタ、イエロー、シアン、ブラックのトナーで現像することにより、マゼンタによるトナー像、イエローによるトナー像、シアンによるトナー像およびブラックによるトナー像の４つのトナー像を形成し、これらトナー像が形成された感光ドラムを１列に並べて各トナー像を紙等の記録媒体に順次転写して記録媒体上に重ねることにより、カラー画像を再現するタンデム方式がある。この方式は、良好な画像が得られるものの、４つの感光ドラムと、各感光ドラムごとに設けられた帯電機構および現像機構が１列に並べられた状態となり、装置が大型化するとともに高価なものとなる。
【０００６】
図２にタンデム方式の画像形成装置の印字部構成例を示す。感光体ドラム１、帯電ロール２、現像ロール３、現像ブレード４、トナー供給ロール５およびクリーニングブレード６で構成する印字ユニットをイエローＹ、マゼンタＭ、シアンＣ、ブラックＢの各トナーに対応して４個並べており、駆動ローラ（駆動部材）９により循環駆動されて転写搬送ベルト１０で搬送した用紙上に、トナーを順次転写しカラー画像を形成する。転写搬送ベルトの帯電および除電は夫々帯電ロール７および除電ロール８で行う。また、用紙をベルトへ吸着させるための用紙帯電には吸着ローラ（図示せず）が使用される。これらの対応により、オゾンの発生を抑えることができる。吸着ローラでは、用紙を搬送路から転写搬送ベルトに乗せるとともに、転写搬送ベルトへの静電吸着を行う。また、転写後の用紙分離は、転写電圧を低くすることにより用紙と転写搬送ベルトの吸着力を弱くして、曲率分離のみで行うことができる。
【０００７】
転写搬送ベルト１０の材料としては抵抗体と誘電体があり、夫々に長所、短所を持っている。抵抗体ベルトは電荷の保持が短時間であるため、タンデム型の転写に用いた場合、転写での電荷注入が少なく４色の連続する転写でも比較的電圧の上昇が少ない。また、次の用紙の転写に繰り返して使用されるときも電荷が放出されており、電気的なリセットは必要としない。しかし、環境変動により抵抗値が変化するため、転写効率に影響すること、用紙の厚さや幅の影響を受けやすいことなどが短所となっている。
【０００８】
一方、誘電体ベルトの場合は注入された電荷の自然放出はなく、電荷の注入、放出とも電気的にコントロールしなければならない。しかし、安定に電荷が保持されるので、用紙の吸着が確実で高精度な紙搬送が行える。誘電率は温湿度への依存性も低いため、環境に対しても比較的安定な転写プロセスとなる。欠点は、転写が繰り返されるごとにベルトに電荷が蓄積されるため、転写電圧が高くなることである。
【０００９】
第３に、紙等の記録媒体を転写ドラムに巻き付けてこれを４回転させ、周回ごとに感光体上のマゼンタ、イエロー、シアン、ブラックを順次記録媒体に転写してカラー画像を再現する転写ドラム方式もある。この方式によれば比較的高画質が得られるが、記録媒体が葉書等の厚紙である場合には、これを前記転写ドラムに巻き付けることが困難であり、記録媒体種が制限されるという問題点がある。  
【００１０】
前記多重現像方式、タンデム方式および転写ドラム方式に対して、良好な画質が得られ、かつ装置が特に大型化するようなこともなく、しかも記録媒体種が特に制限されるようなこともない方式として、中間転写方式が提案されている。
【００１１】
即ち、この中間転写方式は、感光体上のトナー像を一旦転写保持するドラムやベルトからなる中間転写部材を設け、この中間転写部材の周囲にマゼンタによるトナー像、イエローによるトナー像、シアンによるトナー像およびブラックによるトナー像を形成した４つの感光体を配置して４色のトナー像を中間転写部材上に順次転写することにより、この中間転写部材上にカラー画像を形成し、このカラー画像を紙等の記録媒体上に転写するものである。従って、４色のトナー像を重ね合わせて階調を調整するものであるから、高画質を得ることが可能であり、かつタンデム方式のように感光体を１列に並べる必要がないので装置が特に大型化することもなく、しかも記録媒体をドラムに巻き付ける必要もないので記録媒体種が制限されることもないものである。
【００１２】
中間転写方式によりカラー画像の形成を行う装置として、中間転写部材として無端ベルト状の中間転写部材を用いた画像形成装置を図３に例示する。
【００１３】
図３中、１１はドラム状の感光体であり、図中矢印方向に回転するようになっている。この感光体１１は、一次帯電器１２によって帯電され、次いで画像露光１３により露光部分の帯電が消去され、第１の色成分に対応した静電潜像がこの感光体１１上に形成され、更に静電潜像が現像器４１により第１色のマゼンタトナーＭで現像され、第１色のマゼンタトナー画像が感光体１１上に形成される。次いで、このトナー画像が、駆動ローラ（駆動部材）３０により循環駆動されて感光体１１と接触しながら循環回転する中間転写部材２０に転写される。この場合、感光体１１から中間転写部材２０への転写は、感光体１１と中間転写部材２０とのニップ部において、中間転写部材２０に電源６１から印加される一次転写バイアスにより行われる。この中間転写部材２０に第１色のマゼンタトナー画像が転写された後、前記感光体１１はその表面がクリーニング装置１４により清掃され、感光体１１の１回転目の現像転写操作が完了する。以降、感光体が３回転し、各周回ごとに現像器４２〜４４を順次用いて第２色のシアントナー画像、第３色のイエロートナー画像、第４色のブラックトナー画像が順次感光体１１上に形成され、これが周回ごとに中間転写部材２０に重畳転写され、目的のカラー画像に対応した合成カラートナー画像が中間転写部材２０上に形成される。なお、図３の装置にあっては、感光体１１の周回ごとに現像器４１〜４４が順次入れ替わってマゼンタトナーＭ、シアントナーＣ、イエロートナーＹ、ブラックトナーＢによる現像が順次行われるようになっている。
【００１４】
次に、前記合成カラートナー画像が形成された中間転写部材２０に転写ローラ２５が当接し、そのニップ部に給紙カセット１９から紙等の記録媒体２６が給送される。これと同時に二次転写バイアスが電源２９から転写ローラ２５に印加され、中間転写部材２０から記録媒体２６上に合成カラートナー画像が転写されて加熱定着され、最終画像となる。合成カラートナー画像を記録媒体２６へと転写した後の中間転写部材２０は、表面の転写残留トナーがクリーニング装置３５により除去され、初期状態に戻り次の画像形成に備えるようになっている。
【００１５】
また、タンデム方式と中間転写方式とを組み合わせたタンデム中間転写方式もある。図４に、無端ベルト状のタンデム中間転写部材を用いてカラー画像の形成を行うタンデム中間転写方式の画像形成装置を例示する。
【００１６】
図示する装置においては、感光体ドラム５２ａ〜５２ｄ上の静電潜像を夫々イエロー、マゼンタ、シアン、ブラックにより現像する第１現像部５４ａ〜第４現像部５４ｄが、タンデム中間転写部材５０に沿って順次配置されており、このタンデム中間転写部材５０を図中の矢印方向に循環駆動させて、各現像部５４ａ〜５４ｄの感光体ドラム５２ａ〜５２ｄ上に形成された４色のトナー像を順次転写することにより、このタンデム中間転写部材５０上にカラーのトナー像を形成し、このトナー像を紙等の記録媒体５３上に転写することにより、プリントアウトを行う。ここで、上記いずれの装置においても、現像に用いるトナーの配列順は特に制限されるものではなく、任意に選択可能である。
【００１７】
なお、図中、符号５５は、タンデム中間転写部材５０を循環駆動するための駆動ローラ若しくはテンションローラを示し、符号５６は記録媒体送りローラ、符号５７は記録媒体送り装置、符号５８は記録媒体上の画像を加熱等により定着させる定着装置を示す。また、符号５９はタンデム中間転写部材５０に電圧を印加する電源装置（電圧印加手段）を示し、この電源装置５９は、トナー像を、感光ドラム５２ａ〜５２ｄから上記タンデム中間転写部材５０に転写する場合と、タンデム中間転写部材５０から記録媒体５３上に転写する場合とで、印加する電圧の正負を反転させることができるようになっている。
【００１８】
従来、かかる無端ベルト状の転写搬送ベルト１０や中間転写部材２０、タンデム中間転写部材５０等として使用される導電性エンドレスベルトとしては、半導電性の樹脂フィルムベルトと、繊維補強体を有するゴムベルトとが主に用いられている。これらのうち半導電性の樹脂フィルムベルトとしては、例えば、ポリカーボネートにカーボンブラックを配合したものや、ポリアルキレンテレフタレートを基材とするもの、ポリイミドを基材とするものなどが提案されている。また、例えば、特許文献１には、熱可塑性ポリアミド、アクリロニトリル−ブタジエン−スチレン（ＡＢＳ）樹脂、熱可塑性ポリアセタールおよびこれらのうちいずれか２種以上と他の熱可塑性樹脂とのポリマーアロイまたはポリマーブレンドからなる群から選ばれる基材に対し、高分子イオン導電剤が添加されてなる導電性エンドレスベルトが記載されている。
【特許文献１】特開２００３−９１１７７号公報（特許請求の範囲等）
【発明の開示】
【発明が解決しようとする課題】
【００１９】
ところで、タンデム方式、中間転写方式、タンデム中間転写方式等の各種画像形成装置における導電性エンドレスベルトに対する要求特性としては、（１）高強度、（２）高屈曲耐久性（耐折れ）、（３）良好な帯電特性、（４）高光沢度などがある。このうち（４）の光沢度については、複写時の位置決め合わせ時において、ベルト面からの反射光を利用するために高い光沢度が必要となるものである。
【００２０】
ベルトの高光沢化を図るための一般的な方法としては、（１）表面の平滑性の改良や、（２）高屈折率の材料の使用がある。（１）の改良の一手法としては金型面への転写が挙げられるが、この場合、生産性が悪いという難点がある。また、（２）の方法では、一般的に成形温度が高くなり、また、屈曲耐久性（耐折れ）が悪くなる傾向がある。従って、他性能を損なうなどの問題を生ずることなく、ベルトの光沢度を向上することができる技術が求められていた。
【００２１】
そこで本発明の目的は、強度や屈曲耐久性、帯電特性等に加えて、光沢度についても要求特性を十分に満足することができ、かつ、生産性を損なうなどの問題を有しない導電性エンドレスベルト、および、それを用いた画像形成装置を提供することにある。
【課題を解決するための手段】
【００２２】
本発明者は、上記課題を解決するために鋭意検討した結果、基材の樹脂成分としてアクリロニトリル−ブタジエン−スチレン（ＡＢＳ）樹脂を用い、主成分となるＡＢＳ樹脂に対し、メルトフローレート（ＭＦＲ）のより大きな他のＡＢＳ樹脂を併用することにより、前記ベルトの要求特性（１）〜（３）を満足しつつ、高い光沢度を達成することが可能となることを見出して、本発明を完成するに至った。  
【００２３】
即ち、本発明の導電性エンドレスベルトは、静電吸着により保持した記録媒体を、駆動部材により循環駆動されて、４種の画像形成体に搬送し、各トナー像を該記録媒体に順次転写するタンデム方式の転写、搬送用導電性エンドレスベルトにおいて、
樹脂成分として、第一のＡＢＳ樹脂と、該第一のＡＢＳ樹脂よりもＭＦＲが１０ｇ／１０ｍｉｎ以上大きい第二のＡＢＳ樹脂とを含み、これらの総量に対する該第二のＡＢＳ樹脂の配合量が、３〜３０重量％の範囲内であることを特徴とするものである。
【００２４】
また、本発明の他の導電性エンドレスベルトは、画像形成体と記録媒体との間に配設され、駆動部材により循環駆動されて、前記画像形成体表面に形成されたトナー像を一旦自己の表面に転写保持し、これを記録媒体へと転写する中間転写部材用の導電性エンドレスベルトにおいて、
樹脂成分として、第一のＡＢＳ樹脂と、該第一のＡＢＳ樹脂よりもＭＦＲが１０ｇ／１０ｍｉｎ以上大きい第二のＡＢＳ樹脂とを含み、これらの総量に対する該第二のＡＢＳ樹脂の配合量が、３〜３０重量％の範囲内であることを特徴とするものである。
【００２５】
さらに、本発明のさらに他の導電性エンドレスベルトは、４種の画像形成体と記録媒体との間に配設され、駆動部材により循環駆動されて、前記４種の画像形成体表面に形成されたトナー像を一旦自己の表面に順次転写保持し、これを記録媒体へと転写するタンデム中間転写部材用の導電性エンドレスベルトにおいて、
樹脂成分として、第一のＡＢＳ樹脂と、該第一のＡＢＳ樹脂よりもＭＦＲが１０ｇ／１０ｍｉｎ以上大きい第二のＡＢＳ樹脂とを含み、これらの総量に対する該第二のＡＢＳ樹脂の配合量が、３〜３０重量％の範囲内であることを特徴とするものである。
【００２６】
本発明においては、好適には、前記第一のＡＢＳ樹脂のＭＦＲが３〜３０ｇ／１０ｍｉｎの範囲内である。
【００２７】
また、本発明の画像形成装置は、上記本発明の導電性エンドレスベルトを用いたことを特徴とするものである。
【発明の効果】
【００２８】
本発明によれば、上記構成としたことにより、強度や屈曲耐久性、帯電特性等に加えて、光沢度についても要求特性を十分に満足することができ、かつ、生産性を損なうなどの問題を有しない導電性エンドレスベルト、および、それを用いた画像形成装置を実現することが可能となった。なお、本発明におけるＡＢＳ樹脂のＭＦＲは、ＩＳＯ  １１３３に従い、２２０℃、９８Ｎで、１０ｍｉｎ間の流出量（ｇ／１０ｍｉｎ）として測定される値である。
【発明を実施するための最良の形態】
【００２９】
以下、本発明の好適な実施の形態について詳細に説明する。
導電性エンドレスベルトには、一般に、ジョイントありのものとジョイントなしのもの（いわゆるシームレスベルト）とがあるが、本発明においてはいずれのものであってもよい。好ましくはシームレスベルトである。本発明の導電性エンドレスベルトは、前述したように、タンデム方式、中間転写方式およびタンデム中間転写方式の転写部材等として用いることができるものである。
【００３０】
本発明の導電性エンドレスベルトが、例えば、図２に参照符号１０で示す転写搬送ベルトの場合、駆動ローラ９等の駆動部材により駆動され、これに伴い搬送される記録媒体上にトナーが順次転写され、カラー画像が形成される。
【００３１】
また、本発明の導電性エンドレスベルトが、例えば、図３に参照符号２０で示す中間転写部材の場合、これを駆動ローラ３０等の駆動部材により循環駆動させ、感光体ドラム（潜像保持体）１１と紙等の記録媒体２６との間に配設することで、前記感光体ドラム１１の表面に形成されたトナー像を一旦転写保持し、次いでこれを記録媒体２６へと転写する。なお、図３の装置は、上述したように、中間転写方式によりカラー印刷を行うものである。
【００３２】
さらに、本発明の導電性エンドレスベルトが、例えば、図４に参照符号５０で示すタンデム中間転写部材の場合、感光体ドラム５２ａ〜５２ｄを備える現像部５４ａ〜５４ｄと紙等の記録媒体５３との間に配設されて、駆動ローラ５５等の駆動部材により循環駆動され、各感光体ドラム５２ａ〜５２ｄの表面に形成された４色のトナー像を一旦転写保持し、次いでこれを記録媒体５３へと転写することで、カラー画像を形成する。
【００３３】
本発明の導電性エンドレスベルトにおいては、樹脂成分として、第一のＡＢＳ樹脂と、この第一のＡＢＳ樹脂よりもＭＦＲが１０ｇ／１０ｍｉｎ以上大きい第二のＡＢＳ樹脂とを用いる。第一のＡＢＳ樹脂と第二のＡＢＳ樹脂とのＭＦＲの差が１０ｇ／１０ｍｉｎ未満であると、光沢度の改良効果が不十分となってしまう。
【００３４】
また、本発明において、第二のＡＢＳ樹脂の配合量は、第一のＡＢＳ樹脂との総量に対し、３〜３０重量％の範囲内、特には５〜２５重量％程度とする。第二のＡＢＳ樹脂の配合量が３重量％未満であると光沢度の改良効果が得られず、一方、３０重量％を超えると押し出し成形ができなくなってしまう。
【００３５】
本発明に係る２種のＡＢＳ樹脂は、上記条件を満足する範囲内で適宜選択して用いればよく、それ以外の物性値等については特に制限されるものではないが、例えば、第一のＡＢＳ樹脂としては、ＭＦＲが３〜３０ｇ／１０ｍｉｎの範囲内程度のものを好適に用いることができる。具体的には例えば、テクノポリマー（株）製のテクノＡＢＳ４３０（ＭＦＲ＝２４：ＩＳＯ１１３３に従い、２２０℃、９８Ｎで、１０ｍｉｎ間の流出量（ｇ／１０ｍｉｎ））などが挙げられる。
【００３６】
また、本発明のベルトには、導電性を調整するために導電性材料を配合する。かかる導電性材料としては、特に制限されるものではなく、公知の電子導電剤やイオン導電剤等を適宜用いることができる。このうち電子導電剤としては、具体的には例えば、ケッチェンブラック，アセチレンブラック等の導電性カーボン、ＳＡＦ，ＩＳＡＦ，ＨＡＦ，ＦＥＦ，ＧＰＦ，ＳＲＦ，ＦＴ，ＭＴ等のゴム用カーボン、酸化処理等を施したカラ−（インク）用カーボン、熱分解カーボン、天然グラファイト、人造グラファイト、アンチモンドープの酸化錫、酸化チタン、酸化亜鉛、ニッケル、銅、銀、ゲルマニウム等の金属および金属酸化物、ポリアニリン、ポリピロール、ポリアセチレン等の導電性ポリマー、カーボンウイスカー、黒鉛ウイスカー、炭化チタンウイスカー、導電性チタン酸カリウムウイスカー、導電性チタン酸バリウムウイスカー、導電性酸化チタンウイスカー、導電性酸化亜鉛ウイスカー等の導電性ウイスカー等が挙げられる。また、イオン導電剤としては、具体的には例えば、テトラエチルアンモニウム、テトラブチルアンモニウム、ドデシルトリメチルアンモニウム、ヘキサデシルトリメチルアンモニウム、ベンジルトリメチルアンモニウム、変性脂肪酸ジメチルエチルアンモニウム等の過塩素酸塩、塩素酸塩、塩酸塩、臭素酸塩、ヨウ素酸塩、ホウ弗化水素酸塩、硫酸塩、エチル硫酸塩、カルボン酸塩、スルホン酸塩などのアンモニウム塩、リチウム、ナトリウム、カリウム、カルシウム、マグネシウムなどのアルカリ金属、アルカリ土類金属の過塩素酸塩、塩素酸塩、塩酸塩、臭素酸塩、ヨウ素酸塩、ホウ弗化水素酸塩、硫酸塩、トリフルオロメチル硫酸塩、スルホン酸塩等が挙げられる。
【００３７】
また、導電性材料としては、高分子イオン導電剤を用いることもできる。かかる高分子イオン導電剤としては、例えば、特開平９−２２７７１７号公報、特開平１０−１２０９２４号公報、特開２０００−３２７９２２号公報、および、特開２００５−６０６５８号公報等に記載されているものを用いることができるが、特に限定されない。
【００３８】
具体的には、（Ａ）有機ポリマー材料、（Ｂ）イオン導電可能なポリマーまたはコポリマー、および、（Ｃ）無機または低分子量有機塩、からなる混合物を挙げることができ、ここで、成分（Ａ）は、ポリアクリル酸エステル、ポリメタクリル酸エステル、ポリアクリロニトリル、ポリビニルアルコール、ポリビニルアセテート、ポリアミド６、ポリアミド１２等のポリアミド、ポリウレタンまたはポリエステルであり、成分（Ｂ）は、オリゴエトキシ化アクリレートもしくはメタクリレート、芳香族環についてオリゴエトキシ化されたスチレン、ポリエーテルウレタン、ポリエーテル尿素、ポリエーテルアミド、ポリエーテルエステルアミドまたはポリエステル−エーテルブロックコポリマーであり、また、成分（Ｃ）は、無機または低分子量有機プロトン酸のアルカリ金属、アルカリ土類金属、亜鉛またはアンモニウム塩であり、好ましくは、ＬｉＣｌＯ4、ＬｉＣＦ3ＳＯ3、ＮａＣｌＯ4、ＬｉＢＦ4、ＮａＢＦ4、ＫＢＦ4、ＮａＣＦ3ＳＯ3、ＫＣｌＯ4、ＫＰＦ6、ＫＣＦ3ＳＯ3、ＫＣ4Ｆ9ＳＯ3、Ｃａ（ＣｌＯ4）2、Ｃａ（ＰＦ6）2、Ｍｇ（ＣｌＯ4）2、Ｍｇ（ＣＦ3ＳＯ3）2、Ｚｎ（ＣｌＯ4）2、Ｚｎ（ＰＦ6）2またはＣａ（ＣＦ3ＳＯ3）2等である。
【００３９】
これらの中でも、成分（Ｂ）として、ポリエーテルアミド成分、ポリエーテルエステルアミド成分またはポリエステル−エーテルブロックコポリマー成分を含有する高分子イオン導電剤が好適であり、さらに、これに加えて成分（Ｃ）として低分子イオン導電剤成分を含有することが好ましい。また、かかるポリエーテルアミド成分およびポリエーテルエステルアミド成分としては、ポリエーテル成分が（ＣＨ2−ＣＨ2−Ｏ）を含有し、ポリアミド成分がポリアミド１２またはポリアミド６を含有するものが特に好ましく、さらに、成分（Ｃ）の低分子イオン導電剤成分としてはＮａＣｌＯ4を含有する高分子イオン導電剤が特に好適である。かかる高分子イオン導電剤は、例えば、Ｉｒｇａｓｔａｔ（登録商標）Ｐ１８およびＩｒｇａｓｔａｔ（登録商標）Ｐ２２（共に、チバ・スペシャルティ・ケミカルズ・インコーポレーテッド製）として市場で容易に入手可能である。
【００４０】
これら導電性材料は、１種を単独で用いても、２種以上を適宜組み合わせて用いてもよく、例えば、電子導電剤とイオン導電剤とを組み合わせて用いることもでき、この場合、印加される電圧の変動や環境の変化に対しても安定して導電性を発現させることができる。
【００４１】
導電性材料の配合量は、電子導電剤については、樹脂成分１００重量部に対し、通常１００重量部以下、例えば１〜１００重量部、特には１〜８０重量部、とりわけ５〜５０重量部である。また、イオン導電剤については、樹脂成分１００重量部に対し、通常０．０１〜１０重量部、特には０．０５〜５重量部の範囲である。さらに、高分子イオン導電剤については、樹脂成分１００重量部に対し、通常１〜５００重量部、好ましくは１０〜４００重量部程度である。
【００４２】
なお、導電性材料として高分子イオン導電剤を用いる場合には、ＡＢＳ樹脂と高分子イオン導電剤との相溶性を高めるために、相溶化剤を添加してもよい。本発明において好適に用いることができる相溶化剤としては、例えば、ＥＶＡ／ＥＰＤＭ／ポリオレフィン系グラフトコポリマー、ポリオレフィン系グラフトコポリマーおよび反応性（ＧＭＡ、ＭＡＨ含有）ポリオレフィン系グラフトコポリマー、Ｐ（Ｓｔ−ｃｏ−ＧＭＡ）、ＥＧＭＡ、Ｐ（Ｅｔ−ｃｏ−ＥＡ−ｃｏ−ＭＡＨ）、ＳＥＢＳおよびその無水マレイン酸変性物、オキサゾリン基含有スチレン系またはアクリロニトリル−スチレン系ポリマー、無水マレイン酸変性ＥＰＤＭ、無水マレイン酸変性ＰＥ、無水マレイン酸変性ＰＰ、無水マレイン酸変性ＥＶＡ、スチレン・無水マレイン酸コポリマー、ＳＡＮグラフトＥＰＤＭ、反応性ポリスチレン、ポリカプロラクトン−ｂ−ポリスチレン、反応性スチレン・アクリロニトリルコポリマー、イミド化ポリアクリレート、エチレン・グリシジルメタクリレートアクリル酸コポリマー、塩素化ポリエチレン、反応性フェノキシ、シラン化合物、ペルオキシドポリマー、ポリカプロラクトン等が挙げられる（上記列挙中の略称は、夫々、ＥＶＡ：エチレン酢酸ビニル共重合体、ＥＰＤＭ：エチレン−プロピレン−ジエン共重合体、ＥＧＭＡ：エチレン−メタクリル酸グリシジル共重合体、ＳＥＢＳ：スチレン−エチレン−ブタジエン−スチレン共重合体、ＧＭＡ：メタクリル酸グリシジル、ＭＡＨ：無水マレイン酸、ＥＡ：アクリル酸エチルである）等を挙げることができ、これら相溶化剤を、基材と高分子イオン導電剤との総量１００重量部に対して、好ましくは０．１〜２０重量部添加することにより、両者の相溶性を向上して、高分子イオン導電剤のＡＢＳ樹脂への均質かつ良好な分散を可能にし、高性能の導電性エンドレスベルトを得ることができる。
【００４３】
また、本発明のベルトには、本発明の効果を損なわない範囲で、上述の成分に加えて他の機能性成分を適宜添加することも可能であり、例えば、各種充填材、カップリング剤、酸化防止剤、滑剤、表面処理剤、顔料、紫外線吸収剤、帯電防止剤、分散剤、中和剤、発泡剤、架橋剤等を適宜配合することができる。さらに、着色剤を添加して着色を施してもよい。
【００４４】
本発明の導電性エンドレスベルトの厚さは、転写搬送ベルトまたは中間転写部材等の形態に応じて適宜選定されるものであるが、好ましくは５０〜２００μｍの範囲内である。また、その表面粗さとしては、好適には、ＪＩＳ１０点平均粗さＲｚで１０μｍ以下、特に６μｍ以下、更には３μｍ以下とする。さらに、体積抵抗率としては、１０8Ω・ｃｍ〜１０13Ω・ｃｍの範囲内程度に調整することが望ましい。
【００４５】
また、本発明の導電性エンドレスベルトには、図１に一点鎖線で示すように、図２の画像形成装置における駆動ローラ９または図３の駆動ローラ３０などの駆動部材と接触する側の面に、該駆動部材に形成した嵌合部（図示せず）と嵌合する嵌合部を形成してもよく、本発明の導電性エンドレスベルトは、このような嵌合部を設け、これを駆動部材に設けた嵌合部（図示せず）と嵌合させて走行させることにより、導電性エンドレスベルトの幅方向のずれを防止することができる。
【００４６】
この場合、前記嵌合部は、特に制限されるものではないが、図１に示すように、ベルトの周方向（回転方向）に沿って連続する凸条とし、これを駆動ローラ等の駆動部材の周面に周方向に沿って形成した溝に嵌合させるようにすることが好ましい。
【００４７】
なお、図１（ａ）では、１本の連続する凸条を嵌合部として設けた例を示したが、この嵌合部は多数の凸部をベルトの周方向（回転方向）に沿って一列に並べて突設してもよく、また嵌合部を２本以上設けたり（図１（ｂ））、ベルトの幅方向中央部に設けてもよい。更に、嵌合部として図１に示した凸条ではなく、ベルトの周方向（回転方向）に沿った溝を設け、これを前記駆動ローラ等の駆動部材の周面に周方向に沿って形成した凸条と嵌合させるようにしてもよい。
【００４８】
また、本発明の導電性エンドレスベルトを用いた本発明の画像形成装置としては、図２に示すタンデム方式のものや図３に示す中間転写方式のもの、または、図４に示すタンデム中間転写方式のものを例示することができるが、これらには限定されない。尚、図３の装置の場合、本発明の中間転写部材２０を回転させる駆動ローラ２３または駆動ギアには適宜電源６１から電圧を印加することができ、この場合の電圧は直流のみの印加または直流に交流を重量する印加など、印加条件は適時選択することができる。
【００４９】
本発明の導電性エンドレスベルトは、上記２種のＡＢＳ樹脂および導電性材料等を含む樹脂組成物の押出し成形により好適に製造することができ、生産性に優れ、かつ、高光沢の表面が得られる。
【実施例】
【００５０】
以下、本発明を、実施例を用いてより詳細に説明する。
実施例１〜６および比較例１〜３
下記の表１，２中にそれぞれ示す配合にて、各実施例および比較例の導電性エンドレスベルトを作製した。具体的には、各配合成分を二軸混練機により溶融混練して、得られた混練物を所定の環状ダイスを用いて押出し成形することにより、内径２２０ｍｍ、厚さ１００μｍ、幅２５０ｍｍの寸法を有する導電性エンドレスベルトを得た。得られた各実施例および比較例のベルトにつき、下記の手順に従い、評価を行った。これらの結果を下記の表１，２中に併せて示す。
【００５１】
＜動的引張弾性率（Ｅ’）の測定＞
以下に示す条件にて、動的引張弾性率の測定を行った。
装置：東洋精機（株）製  Ｒｈｅｏｌｏｇｒａｐｈ  ｓｏｌｉｄレオロジーメーター
サンプル形状：５ｍｍ幅×０．１ｍｍ厚×３０ｍｍ（チャック間距離）
測定条件：初期延伸３％，振幅±１％，周波数１Ｈｚ，温度  室温（２２℃，５０％）
【００５２】
＜体積抵抗率Ｒｖの測定＞
温度２３℃、相対湿度５０％にて、測定装置として、アドバンテスト（ＡＤＶＡＮＴＥＳＴ）社製の、抵抗計Ｒ８３４０ＡにサンプルチャンバーＲ１２７０４Ａを接続したものを用いて、電圧１０００Ｖにて測定を行った。
【００５３】
＜耐折れ回数の測定＞
東洋精機（株）製のＭＩＴ耐揉疲労試験機を使用して測定した。結果は、比較例１を１００として指数表示した。８０以上であれば使用可能であり、数値が大なるほど良好である。
【００５４】
＜光沢度の測定＞
（株）堀場製作所製のグロスチェッカＩＧ−３２０を使用して測定した。光沢度が４５以上であれば使用可能である。
【００５５】
＜画像特性＞
各ベルトを図２に示す転写搬送ベルトを用いたタンデム方式の画像形成装置に装着し、転写操作を繰り返してＡ４用紙１０万枚の耐久試験を行った。この試験の結果を画像性および汚染性について評価した。画像性については、○：色ムラや異物による色抜けがなく良好、×：色ムラや異物による色抜けがあり不良、を示し、汚染性については、○：感光体の汚染、粘着なし、×：感光体の汚染、粘着あり、を示す。
【００５６】
【表１】
2007156165.tif 000002
＊１）テクノＡＢＳ４３０（ＭＦＲ＝２４：ＩＳＯ１１３３に従い、２２０℃、９８Ｎで、１０ｍｉｎ間の流出量（ｇ／１０ｍｉｎ）（以下同様）），テクノポリマー（株）製
＊２）テクノＡＢＳ３５０（ＭＦＲ＝５５），テクノポリマー（株）製
＊３）テクノＡＢＳ３３０（ＭＦＲ＝４２），テクノポリマー（株）製
＊４）テクノＡＢＳ３００（ＭＦＲ＝３０），テクノポリマー（株）製
＊５）チバ・スペシャルティ・ケミカルズ・インコーポレイテッド（株）製  Ｉｒｇａｓｔａｔ  Ｐ１８
【００５７】
【表２】
2007156165.tif 000003
【００５８】
上記表１，２の結果から分かるように、樹脂成分として、主成分となるＡＢＳ樹脂とともに、よりＭＦＲの大きい他のＡＢＳ樹脂を所定量にて併用した各実施例のベルトにおいては、強度や屈曲耐久性、帯電特性等に加えて、光沢度についても要求特性を十分に満足することができることが確かめられた。
【図面の簡単な説明】
【００５９】
【図１】本発明の一実施の形態に係る導電性エンドレスベルトの幅方向断面図である。
【図２】本発明の画像形成装置の一例としての転写搬送ベルトを用いたタンデム方式の画像形成装置を示す概略図である。
【図３】本発明の画像形成装置の他の例としての中間転写部材を用いた中間転写装置を示す概略図である。
【図４】本発明の画像形成装置の他の例としてのタンデム中間転写部材を用いたタンデム中間転写装置を示す概略図である。
【符号の説明】
【００６０】
１、１１、５２ａ〜５２ｄ  感光体ドラム
２、７  帯電ロール
３  現像ロール
４  現像ブレード
５  トナー供給ロール
６  クリーニングブレード
８  除電ロール
９、３０、５５  駆動ローラ（駆動部材）
１０  転写搬送ベルト
１２  一次帯電器
１３  画像露光
１４、３５  クリーニング装置
１９  給紙カセット
２０  中間転写部材
２５  転写ローラ
２６、５３  記録媒体
２９、６１  電源
４１、４２、４３、４４  現像器
５０  タンデム中間転写部材
５４ａ〜５４ｄ  第１現像部〜第４現像部
５６  記録媒体送りローラ
５７  記録媒体送り装置
５８  定着装置
５９  電源装置（電圧印加手段）
【図１】
2007156165.tif 000004
【図２】
2007156165.tif 000005
【図３】
2007156165.tif 000006
【図４】
2007156165.tif 000007